(57)【要約】【課題】脱自在で信頼性の高いで電気コネクタ接続を可能とする表示媒体、書込み装置、および画像形成装置の提供【解決手段】上層基板１２および下層基板１４と、下層基板１４に表示領域１０の全体に亘って配置された列電極２の群と、上層基板１２に表示領域１０の全体に亘って配置された行電極４の群と、前記基板におけるコネクタ２００が接続される箇所に設けられた第１接続端子８とおよび第２接続端子９と、列電極２と第１接続端子８とを電気的に接続する接続配線２１と、行電極４と第２接続端子９とを電気的に接続する接続配線２２とを備え、第１接続端子８と第２接続端子９とは、厚さ方向および面方向の少なくとも一方に沿って夫々の第１接続端子８の接点８Ａおよび第２接続端子９の接点９Ａよりも大きな間隔を以って配置されている画像表示媒体、書込み装置、および画像形成装置。【選択図】図１
2008039869.tif 000002
【特許請求の範囲】
【請求項１】
電気的作用によって表示状態が変化する表示領域を有する表示層と、
少なくとも一部が、外部と電気的に接続するための電気接続コネクタが接続されるフレーム部を構成するとともに、少なくとも一方が透光性を有し、前記表示層を間に保持する１対の基板と、
前記１対の基板の一方における前記表示層に相対する側の面に、前記表示領域の列方向に沿い、前記表示領域の全体に亘って配置された一群の電極である第１走査電極群と、
前記１対の基板の他方における前記表示層に相対する側の面に、前記表示領域の行方向に沿い、前記表示領域の全体に亘って配置された一群の電極である第２走査電極群と、
前記１対の基板における前記電気接続コネクタが接続される箇所に設けられた第１電気接点群と、
前記１対の基板における前記電気接続コネクタが接続される箇所に設けられた第２電気接点群と、
前記第１電気接点群と前記第１走査電極群とを電気的に接続する第１接続配線群と、
前記第２電気接点群と前記第２走査電極群とを電気的に接続する第２接続配線群と
を備え、
前記第１電気接点群と前記第２電気接点群とは、前記１対の基板の厚さ方向および面方向の少なくとも一方に沿って前記第１電気接点群または前記第２電気接点群に属する互いに隣接した２つの接点の間隔よりも大きな間隔を以って配置されてなることを特徴とする画像表示媒体。
【請求項２】
前記第１電気接点群と前記第２電気接点群とは同一の面側に形成されるとともに厚さ方向に沿って分離して設けられ、間に段差が形成されてなる請求項１に記載の画像表示媒体。
【請求項３】
前記第１電気接点群および第２電気接点群の少なくとも一方を構成する複数の接点が、前記基板の同一面上に２次元状に配置されてなる請求項１に記載の画像表示媒体。
【請求項４】
前記１対の基板におけるフレーム部の内部に前記第１接続配線群と前記第２接続配線群の少なくとも一部が形成されてなるとともに、
前記第１接続配線群は前記フレーム部における前記第１電気接点群の形成される側に、前記第２接続配線群は前記フレーム部における前記第２電気接点群の形成される側に前記フレーム部の厚さ方向に分離して形成されてなる
請求項２に記載の画像表示媒体。
【請求項５】
前記第１走査電極群は、前記１対の基板における前記表示領域に形成された画像を閲覧する画像閲覧側の基板に、前記第２走査電極群は、前記１対の基板における前記画像閲覧側とは反対側の基板に配置され、
前記第１接続配線群の少なくとも一部は、前記画像閲覧側とは反対側の基板における前記第２走査電極群が配置された側とは反対側の面上に配置されてなる請求項２に記載の画像表示媒体。
【請求項６】
前記第１電気接点群と前記第２電気接点群とは、更に面方向に沿って分離して設けられてなる請求項２に記載の画像表示媒体。
【請求項７】
前記フレーム部は、電気接続コネクタに設けられた複数のガイドピンが貫通する複数の貫通孔を有する請求項１〜６の何れか１項に記載の画像表示媒体。
【請求項８】
前記貫通孔は、前記第１電気接点群と前記第２電気接点群との間の段差を延長した延長線から外れた位置に形成されてなる請求項７に記載の画像表示媒体。
【請求項９】
前記第１走査電極群および第２走査電極群において電極を選択して前記表示領域における表示状態を制御する画素選択駆動回路は、外部に設けられてなるとともに、前記電気接続コネクタと前記第１電気接点群と前記第１接続配線群とを介して前記第１走査電極群に、前記電気接続コネクタと前記第２電気接点群と前記第２接続配線群とを介して前記第２走査電極群に接続される請求項１〜８の何れか１項に記載の画像表示媒体。
【請求項１０】
電気的作用によって表示状態が変化する表示領域を有する表示層と、
少なくとも一部が外部と電気的に接続するための電気接続コネクタが接続されるフレーム部を構成するとともに、少なくとも一方が透光性を有し、前記表示層を間に保持する１対の基板と、
前記１対の基板の一方における前記表示層に相対する側の面に、前記表示領域の列方向に沿い、前記表示領域の全体に亘って配置された一群の電極である第１走査電極群と、
前記１対の基板の他方における前記表示層に相対する側の面に、前記表示領域の行方向に沿い、前記表示領域の全体に亘って配置された一群の電極である第２走査電極群と、
前記１対の基板における前記電気接続コネクタが接続される箇所に設けられ、前記第１および第２走査電極群と電気的に接続された電気接点群と
を備え、
前記電気接点群は、厚さ方向の段差によって複数の領域に分割されてなることを特徴とする画像表記媒体。
【請求項１１】
請求項２〜１０の何れか１項に記載の画像表示媒体に画像を表示させるための画像書込み装置であって、
前記画像表示媒体の備える前記第１走査電極群および第２走査電極群において電極を選択する制御信号を発生させる信号処理部と、
前記画像表示媒体に接続される電気接続コネクタと、
前記電気接続コネクタに設けられ、前記電気接続コネクタを前記画像表示媒体に接続すると、前記画像表示媒体の備える第１電気接点群および第２電気接点群に電気的に接続され、前記信号処理部で発生した制御信号を前記第１走査電極群および第２走査電極群に供給する接触端子群と、
前記電気接続コネクタに設けられ、前記電気接続コネクタを前記画像表示媒体に接続すると、前記画像表示媒体の段差に係合して前記画像表示媒体と前記電気接続コネクタとの位置関係を規定する位置決め部と
を備えることを特徴とする画像書込み装置。
【請求項１２】
前記電気接続コネクタの備える接触端子群における前記第１電気接点群および第２電気接点群に接続される側に厚さ方向にのみ通電する異方導電材が設けられてなる請求項１１に記載の画像書込み装置。
【請求項１３】
請求項２〜１０の何れか１項に記載の画像表示媒体と、前記画像表示媒体に電気的に接続されて前記画像表示媒体に画像を表示させる請求項１１または１２に記載の画像書込み装置とを備えることを特徴とする画像形成装置。
【発明の詳細な説明】
【技術分野】
【０００１】
本発明は、画像表示媒体、画像書込み装置、および画像形成装置に関する。
【背景技術】
【０００２】
行電極が形成された上基板と、列連極が形成された下基板との間に表示層を設け、前記表示層の周囲に額縁様の構造を設けた電子ペーパが特許文献１に開示されている。前記電子ペーパの表面の額縁状の領域または裏面には、各電極と接続された受光素子が複数配列されている。前記電子ペーパにおける受光素子が設けられた部分を、内側の面に発光素子（ＬＥＤ）が設けられた書込み装置で挟み込むように前記電子ペーパに前記書込み装置を装着する。そして、前記書込み装置において複数のＬＥＤを選択的に発光させることにより、前記電子ペーパの各電極を選択して画像を表示させる。
【０００３】
ここで、画像ディスプレイを情報の表示媒体として利用するには、１インチ当たりドット数にして数十〜数百程度の解像度が要求される。このため、液晶ディスプレイのような従来の画像ディスプレイにおいては、スキャンＩＣやデータＩＣのような画素選択駆動回路を表示素子と一体化された基板上に設け、外部からは、共通配線を通じて前記スキャンＩＣやデータＩＣに画像信号を送信し、送信された画像信号を前記スキャンＩＣやデータＩＣが処理して該当する画素をｏｎ−ｏｆｆさせるように制御していた。これにより、コネクタ部に配置される配線数は、共通配線となる所定のビット数（１６ビット、または３２ビット）相当に減らすことが可能であった。
【特許文献１】特開２００５−３５２４８１号公報
【発明の開示】
【発明が解決しようとする課題】
【０００４】
しかしながら、特許文献１に記載された電子ペーパのような表示デバイスにおいては、一方で、構造を簡略化することにより、形態性や可搬性を高めるとともに安価なものとすることが要求され、他方で、高い解像度が要求される。
【０００５】
前記要求を満たすには、表示デバイス上に画素選択駆動回路を搭載する代わりに、外部の書込み装置に画素選択駆動回路を設け、表示デバイスの行電極と列電極とを着脱自在なコネクタを介して前記画素選択駆動回路に接続することが考えられる。
【０００６】
このような構成の画像形成装置において、表示デバイスの行電極と列電極とを画素選択駆動回路によって正確に制御しようとすると、前記行電極および列電極に画像信号を入力するための接点と、書込み装置側のコネクタに設けられた電極との間で接続の信頼性を高める必要がある。
【０００７】
しかしながら、表示デバイスの全ての行電極と列電極とを外部の画素選択駆動回路に接続するための配線は、高解像度になるにつれて画像数が増すことから膨大な数となる。したがって、表示デバイス側においては接点を、コネクタにおいては前記接点に接触される端子を高密度に配置する必要がある。この結果、表示デバイス側の接点とコネクタ側の端子との間には位置のずれが生じやすい。そして、このような位置ずれが生じると、コネクタを表示デバイスに接続したときに、コネクタの端子が表示デバイス側の予想外の接点に接続される可能性がある。
【０００８】
特許文献１に記載の電子ペーパにおいては、書込み装置で挟み込んだときに書込み素子の発光素子と電子ペーパ側の受光素子との位置がずれていたとしても、信号光が誤った受光素子に入射して誤った行電極および列電極が選択されて画素がずれるだけであるから、書込み素子の発光素子と電子ペーパ側の受光素子との位置が正しく対応するように書込み装置を接続しなおせばよい。
【０００９】
しかしながら、発光素子および受光素子を高密度で配置しても充分な解像度が得られない場合もある。このような場合には、電子ペーパと書込み装置とを電気的に接続することが所望されることも多い。
【００１０】
本発明は、上記問題を解決すべく成されたもので、画素選択駆動回路を有する書込み装置を接続して使用する電子ペーパのような画像表示媒体であって、着脱自在で信頼性の高いで電気コネクタ接続を可能とする表示媒体、前記画像表示媒体に使用される書込み装置、および前記画像表示媒体と前記書込み装置とから構成される画像形成装置の提供を目的とする。
【課題を解決するための手段】
【００１１】
請求項１に記載の発明は、電気的作用によって表示状態が変化する表示領域を有する表示層と、少なくとも一部が、外部と電気的に接続するための電気接続コネクタが接続されるフレーム部を構成するとともに、少なくとも一方が透光性を有し、前記表示層を間に保持する１対の基板と、前記１対の基板の一方における前記表示層に相対する側の面に、前記表示領域の列方向に沿い、前記表示領域の全体に亘って配置された一群の電極である第１走査電極群と、前記１対の基板の他方における前記表示層に相対する側の面に、前記表示領域の行方向に沿い、前記表示領域の全体に亘って配置された一群の電極である第２走査電極群と、前記１対の基板における前記電気接続コネクタが接続される箇所に設けられた第１電気接点群と、前記１対の基板における前記電気接続コネクタが接続される箇所に設けられた第２電気接点群と、前記第１電気接点群と前記第１走査電極群とを電気的に接続する第１接続配線群と、前記第２電気接点群と前記第２走査電極群とを電気的に接続する第２接続配線群とを備え、前記第１電気接点群と前記第２電気接点群とは、前記１対の基板の厚さ方向および面方向の少なくとも一方に沿って前記第１電気接点群または前記第２電気接点群に属する互いに隣接した２つの接点の間隔よりも大きな間隔を以って配置されてなることを特徴とする画像表示媒体に関する。
【００１２】
請求項２に記載の発明は、前記第１電気接点群と前記第２電気接点群とが同一の面側に形成されるとともに厚さ方向に沿って分離して設けられ、間に段差が形成されてなる請求項１に記載の画像表示媒体に関する。
【００１３】
請求項３に記載の発明は、前記第１電気接点群および第２電気接点群の少なくとも一方を構成する複数の接点が前記基板の同一面上に２次元状に配置されてなる請求項１に記載の画像表示媒体に関する。
【００１４】
請求項４に記載の発明は、前記１対の基板におけるフレーム部の内部に前記第１接続配線群と前記第２接続配線群の少なくとも一部が形成されてなるとともに、前記第１接続配線群は前記フレーム部における前記第１電気接点群の形成される側に、前記第２接続配線群は前記フレーム部における前記第２電気接点群の形成される側に前記フレーム部の厚さ方向で分離して形成されてなる請求項２に記載の画像表示媒体に関する。
【００１５】
請求項５に記載の発明は、前記第１走査電極群が、前記１対の基板における前記表示領域に形成された画像を閲覧する画像閲覧側の基板に、前記第２走査電極群は、前記１対の基板における前記画像閲覧側とは反対側の基板に配置され、前記第１接続配線群の少なくとも一部は、前記画像閲覧側とは反対側の基板における前記第２走査電極群が配置された側とは反対側の面上に配置されてなる請求項２に記載の画像表示媒体に関する。
【００１６】
請求項６に記載の発明は、前記第１電気接点群と前記第２電気接点群とが更に面方向に沿って分離して設けられてなる請求項２に記載の画像表示媒体に関する。
【００１７】
請求項７に記載の発明は、前記フレーム部が、電気接続コネクタに設けられた複数のガイドピンが貫通する複数の貫通孔を有する請求項１〜７の何れか１項に記載の画像表示媒体に関する。
【００１８】
請求項８に記載の発明は、前記貫通孔が、前記第１電気接点群と前記第２電気接点群との間の段差を延長した延長線から外れた位置に形成されてなる請求項７に記載の画像表示媒体に関する。
【００１９】
請求項９に記載の発明は、前記第１走査電極群および第２走査電極群において電極を選択して前記表示領域における表示状態を制御する画素選択駆動回路は外部内に設けられ、前記電気接続コネクタと前記第１電気接点群と前記第１接続配線群とを介して前記第１走査電極群に、前記電気接続コネクタと前記第２電気接点群と前記第２接続配線群とを介して前記第２走査電極群に接続される請求項１〜８の何れか１項に記載の画像表示媒体に関する。
【００２０】
請求項１０に記載の発明は、電気的作用によって表示状態が変化する表示領域を有する表示層と、少なくとも一部が外部と電気的に接続するための電気接続コネクタが接続されるフレーム部を構成するとともに、少なくとも一方が透光性を有し、前記表示層を間に保持する１対の基板と、前記１対の基板の一方における前記表示層に相対する側の面に、前記表示領域の列方向に沿い、前記表示領域の全体に亘って配置された一群の電極である第１走査電極群と、前記１対の基板の他方における前記表示層に相対する側の面に、前記表示領域の行方向に沿い、前記表示領域の全体に亘って配置された一群の電極である第２走査電極群と、前記１対の基板における前記電気接続コネクタが接続される箇所に設けられ、前記第１および第２走査電極群と電気的に接続された電気接点群とを備え、前記電気接点群は、厚さ方向の段差によって複数の領域に分割されてなることを特徴とする画像表記媒体に関する。
【００２１】
請求項１１に記載の発明は、請求項２〜１０の何れか１項に記載の画像表示媒体に画像を表示させるための画像書込み装置であって、前記画像表示媒体の備える前記第１走査電極群および第２走査電極群において電極を選択する制御信号を発生させる信号処理部と、前記画像表示媒体に接続される電気接続コネクタと、前記電気接続コネクタに設けられ、前記電気接続コネクタを前記画像表示媒体に接続すると、前記画像表示媒体の備える第１電気接点群および第２電気接点群に電気的に接続され、前記信号処理部で発生した制御信号を前記第１走査電極群および第２走査電極群に供給する接触端子群と、前記電気接続コネクタに設けられ、前記電気接続コネクタを前記画像表示媒体に接続すると、前記画像表示媒体の段差に係合して前記画像表示媒体と前記電気接続コネクタとの位置関係を規定する位置決め部とを備えることを特徴とする画像書込み装置に関する。
【００２２】
請求項１２に記載の発明は、前記電気接続コネクタの備える接触端子群における前記第１電気接点群および第２電気接点群に接続される側に異方導電材が設けられてなる請求項１１に記載の画像書込み装置に関する。
【００２３】
請求項１３に記載の発明は、請求項２〜１１の何れか１項に記載の画像表示媒体と、前記画像表示媒体に電気的に接続されて前記画像表示媒体に画像を表示させる請求項１１または１２に記載の画像書込み装置とを備えることを特徴とする画像形成装置に関する。
【発明の効果】
【００２４】
以上説明したように請求項１の発明によれば、着脱自在で信頼性が高く、電気コネクタ接続によって書込み装置を接続できる画像表示媒体が提供される。
請求項２の発明によれば、第１電気接点群と第２電気接点群とが段差によって物理的に分離されているために、同じ電気接点群に属する複数の接点に、書込み装置の接触端子群が接触することがより効果的に防止できる。
請求項３の発明によれば、画素数が増加した場合でも電気接点群を配置する領域を小さくするか、あるいは接点群の配置密度を低くすることができる。
請求項４の発明によれば、接続配線群の層構造を簡易にすることができるとともに、第１および第２電気接点群を物理的に分離できる。
請求項５の発明によれば、第１走査電極群と接続される第１接続配線群が第２操作配線群の形成面とは反対側の面に形成できるので、第１接続配線群の配置自由度を向上させることができる。
請求項６の発明によれば、更に第１電気接点群と第２電気接点群との分離を確実にして語接続を防止できる。
請求項７の発明によれば、書く電気接点群と電気接続コネクタの接触端子群との位置合せをより容易にすることができる。
請求項８の発明によれば、段差位置と貫通孔の位置とが同一直線上にないため、３点以上で位置決めを行わせることができる。
請求項９の発明によれば、画像表示媒体の構造が簡素化される。
請求項１０の発明によれば、第１電気接点群および第２電気接点群の分離を確実にして語接続を防止できる。
請求項１１の発明によれば、段差により電気接点群を分離した画像表示媒体に対し、媒体上の段差位置を基準として電気コネクタ側の電気接点群の位置決めを行わせることができる。特に請求項８の画像表示媒体との組み合わせでは、一直線上にない３箇所以上で位置決めを行うために、より接続の確実性が増す。
請求項１２の発明によれば、電気接点群が高密度になった場合でも電気接続コネクタの電気接点群との接続の信頼性が向上する。
【発明を実施するための最良の形態】
【００２５】
１．実施形態１
実施形態１に係る画像表示媒体１００は、図１に示すように、全体としてシート状乃至薄板状の形態を有し、一方の面に設けられ、画像が表示される表示領域１０と、表示領域１０の列方向に沿って互いに平行に設けられた列電極２と、表示領域１０の行方向に沿って互いに平行に設けられた行電極４と、表示領域１０が設けられた側、即ち表側に設けられ、列電極２が接続される第１接続端子８と、第１接続端子８とは反対側の面に設けられ、行電極４が接続される第２接続端子９とを有する。一群の列電極２は本発明における第１走査電極群を構成し、一群の行電極４は本発明における第２走査電極群を構成する。なお、図１において（Ａ）は画像表示媒体１００を表側から見たところを、（Ｂ）は裏側から見たところを示す。なお、列電極群と行電極群とは必ずしも直交している必要はなく、表示領域を操作可能なマトリクス廃線を構成していればよい。
【００２６】
画像表示媒体１００は、また、図１および図２に示すように、透明な可撓性フィルムから形成された上層基板１２と、同じく透明な可撓性フィルムから形成され、厚み方向に導電性を有する異方導電材１６を挟んで上層基板１２に平行に配設された下層基板１４と、上層基板１２と下層基板１４との間に挟まれたコレステリック液晶をポリマーの間隙中に分散して構成される液晶層１８とを備える。上層基板１２と下層基板１４とは本発明の基板に、液晶層１８は表示層に相当する。なお、表示層は電気的作用によって表示状態が変化する材料、あるいは構造であればよく、コレステリック液晶やエレクトロクロミック材料や、電気泳動方式、帯電粒子（トナーあるいは電気粉流体）移動方式などが挙げられ、電気的作用を除去した後も表示層が表示した画像を保持する所謂電子ペーパとして利用される表示層が好ましい。列電極２は、上層基板１２の内側の面、即ち液晶層１８に接する側の面に形成され、行電極４は、下層基板１４の内側の面、即ち液晶層１８に接する側の面に形成されている。列電極２および行電極４の何れもＩＴＯのような透明導電性材料で形成されている。列電極２および行電極４に電圧を印加すると、図３に示すように、液晶層１８における電圧を印加した列電極２と行電極４とが交差する部分の液晶の配向が変化し、光の透過性または反射性が変化して画像が表示される。また、図４に示すように、列電極２と行電極４とで区画される区画の夫々に電界効果トランジスタ３を形成し、列電極２および行電極４に電圧を印加して電界効果トランジスタをｏｎまたはｏｆｆして液晶の配列を変化させるようにしてもよい。
【００２７】
下層基板１４の表示領域１０よりも外側の領域には、各行電極４に対応してコンタクトホール２０が設けられている。各行電極４は、異方導電材１６を介してコンタクトホール２０に接続されている。
【００２８】
下層基板１４の裏側、即ち行電極４が形成された側とは反対側には、第２接続端子９に形成された一群の電気接点９Ａに各行電極４を接続する接続配線２２が形成されている。第２接続端子９もまた、接続配線２２と同様に下層基板１４の裏側に設けられている。第２接続端子９は、本発明における第２電気接点群に相当する。接続配線２２は夫々対応するコンタクトホール２０に接続され、これによって行電極４は電気接点９Ａに接続される。したがって、一群の接続配線２２およびコンタクトホール２０は、本発明における第２接続配線群を形成する。
【００２９】
一方、第１接続端子８は、本発明における第１電気接点群に相当し、下層基板１４を挟んで第２接続端子９の反対側に設けられ、一群の電気接点８Ａが形成されている。各電気接点８Ａには、列電極２が接続されている。したがって、列電極２の表示領域１０よりも外側の部分は、本発明における第１接続配線群を形成する。
【００３０】
第１接続端子８と第２接続端子９とは、表示領域１０の行方向の寸法と同一の長さに形成できる。たとえば表示領域１０がＡ４版の大きさを有していれば、第１接続端子８と第２接続端子９との何れも、Ａ４版の行方向の寸法に等しい２１０ｍｍの長さとすることができる。そして、たとえば第１接続端子８に１１００本の電気接点８Ａを、第２接続端子９に１５５０本の電気接点９Ａを形成することができる。ここで、前述のように第１接続端子８および第２接続端子９の何れも長さが２１０ｍｍあるから、電気接点８Ａのピッチは、２１０（ｍｍ）÷（１１００＋１）＝１９１μｍ（＝１３３ｄｐｉ）となり、電気接点９Ａのピッチは、２１０（ｍｍ）÷（１５５０＋１）＝１３５．５μｍ（＝１８７．５ｄｐｉ）となる。ここで、第１電気接点群と前記第２電気接点群とは、厚さ方向に沿った間隔が、電気接点８Ａおよび電気接点９Ａの何れの間隔よりも大きいから、第１電気接点群が形成される第１接続端子８と第２電気接点群が形成される第２接続端子９との間隔、即ち下層基板１４の厚さは電気接点８Ａおよび電気接点９Ａの何れの間隔よりも大きい。したがって、下層基板１４の厚さは１９１μｍよりも大きい。下層基板１４の厚さは、好ましくは４００〜７６０μｍ、即ち０．４〜０．７６ｍｍである。
【００３１】
図５に示すように、実施形態１の画像表示媒体１００の第１接続端子８および第２接続端子９が形成された部分を、本発明の電気接続コネクタであり、画像書込み装置（図示せず。）に接続されたクリップ部２００で挟むことにより、前記画像書込み装置が画像表示媒体１００に接続される。
【００３２】
クリップ部２００の内側の面の一方には、第１接続端子８の電気接点８Ａと電気的に接触する端子が、前記面の他方には、第２接続端子９の電気接点９Ａと電気的に接触する端子が形成されている。画像表示媒体１００をクリップ部２００で挟むときは、第１接続端子８と第２接続端子９との夫々とクリップ部２００との間に、厚さ方向にのみ通電する異方導電材のシートである異方導電シート１５０を挿入する。または、異方導電シート１５０をクリップ部２００の第１および第２接続端子を形成した面に夫々予め付着させておいてもよい。
【００３３】
実施形態１に係る画像表示媒体１００は、画像を書き込むときは図５に示すようにクリップ部２００を接続し、画像書込み装置の画素選択駆動回路から画素選択信号を入力する。これにより、列電極２および行電極４に電圧が印加され、表示領域１０に画像が形成される。液晶層１８が配向のメモリ性を有するコレステリック液晶で構成されているため、画像が形成されたらクリップ部２００を外した後も、形成された画像は表示領域１０上に長期間保持される。
【００３４】
画像表示媒体１００上には駆動ＩＣや昇圧回路のような列電極２および行電極４を駆動するための回路が設けられてないから、軽量で、しかも薄手に形成できる。しかも、クリップ部２００を外した状態で持ち歩けるから、可搬性、折り曲げ性に優れる。更に、第１接続端子８と第２接続端子９とは下層基板１４によって分離されているから、第１接続端子８の電気接点８Ａおよび第２接続端子９の電気接点９Ａの間隔よりも大きな間隔を以って物理的に分離されている。
【００３５】
２．実施形態２
【００３６】
実施形態２に係る画像表示媒体１０２は、図６において（Ａ）および（Ｂ）に示すように、第１接続端子８は表側に、第２接続端子９は裏側に形成されているが、何れも表示領域１０の幅方向の寸法よりも小さな長さに形成されている。たとえば表示領域１０がＡ４版の大きさであれば、第１接続端子８および第２接続端子９の長さは、表示領域１０の幅方向の寸法である２１０ｍｍよりも小さな長さ、たとえば５０ｍｍとすることができる。したがって、実施形態１の画像表示媒体１００と同様に、列電極２を１１００本設け、行電極４を１５５０本設けるとすると、列電極２のピッチは、２１０（ｍｍ）÷（１１００＋１）＝１９１μｍ（＝１３３ｄｐｉ）であるが、第１接続端子８の電気接点８Ａのピッチは、５０（ｍｍ）÷（１１００＋１）＝４５．５μｍであり、電気接点８Ａのピッチは、列電極２のピッチよりも遥かに小さくなる。そこで、画像表示媒体１０２の下層基板１４の表側の面における上層基板１２と第１接続端子８との間の部分に、配線の幅方向の密度を変更する配線密度変更部２４が形成されている。配線密度変更部２４は、たとえば多層フレキシブル基板からなり、列電極２と電気接点８Ａとを接続する接続配線２１が埋設されている。一群の接続配線２１は、本発明における第１接続配線群を構成する。
【００３７】
一方、実施形態１に係る画像表示媒体１００と同様に、下層基板１４の一方の側縁にはコンタクトホール２０が穿設され、行電極４は、一端においてコンタクトホール２０に接続されている。そして、下層基板１４の裏側の面には、コンタクトホール２０と第２接続端子９の電気接点９Ａとを接続する一群の接続配線２２が形成されている。なお、電気接点９Ａは１５００本設けられているから、電気接点９Ａのピッチは、５００ｍｍ÷（１５００＋１）＝３２．３μｍである。
【００３８】
画像表示媒体１０２は、図７に示すように、第１接続端子８および第２接続端子９が形成された部分をクリップ部２０２で挟むことにより、画像書込み装置（図示せず。）に接続できる。クリップ部２０２は、幅が小さなほかは、実施形態１におけるクリップ部２００と同様の構成を有する。
【００３９】
３．実施形態３
【００４０】
実施形態３に係る画像表示媒体１０４は、図８において（Ａ）に示すように、第１接続端子８だけでなく第２接続端子９も表側の面に形成され、配線密度変更部２４と第２接続端子９との間には、配線密度変更部２６が形成されている。配線密度変更部２４と配線密度変更部２６との間には、接続配線２２が接続されるコンタクトホール２８が形成されている。コンタクトホール２８と第２接続端子９の電気接点９Ａとは配線密度変更部２６の内部に埋設された接続配線２５によって接続されている。したがって、行電極４は、コンタクトホール２０と接続配線２２とコンタクトホール２８と接続配線２５とによって電気接点９Ａに接続されている。したがって、コンタクトホール２０と接続配線２２とコンタクトホール２８と接続配線２５とは、本発明の第２接続配線群を構成する。
【００４１】
第１接続端子８と第２接続端子９とは、よりピッチの大きな電気接点８Ａのピッチである４５．５μｍよりも離れて設けられている。
【００４２】
画像表示媒体１０４は、これらの点を除いて電気接点８Ａおよび電気接点９Ａの形状およびピッチも含めて実施形態２に係る画像表示媒体１０２と同様の構成を有する。
【００４３】
画像表示媒体１０４は、図９に示すように、第１接続端子８および第２接続端子９が形成された部分をクリップ部２０４で挟むことにより、画像書込み装置（図示せず。）に接続できる。クリップ部２０４においては、第１接続端子８の電気接点８Ａと接触する端子群（図示せず。）および第２接続端子９の電気接点９Ａと接触する端子群（図示せず。）とが隣り合って設けられている。
【００４４】
実施形態３に係る面表示媒体１０４においては、第１接続端子８と第２接続端子９とは面方向に沿って、電気接点８Ａおよび電気接点９Ａの何れのピッチよりも大きな間隔を以って配置される。
【００４５】
４．実施形態４
【００４６】
実施形態４に係る画像表示媒体１０６は、第１接続端子８および第２接続端子９に代えて列電極２および行電極４が接続される電気接点群を形成した例であり、図１０〜図１３に示すように、上層基板１２、下層基板１４、および上層基板１２と下層基板１４との外周部に配置されたスペーサ１７とからなるディスプレイ基板１５が大基板１３上に配置された構成を有している。上層基板１２と下層基板１４とスペーサ１７とから形成される空間の内部には、液晶が充填されて液晶層１８が形成されている。表示領域１０は、ディスプレイ基板１５におけるスペーサの内側に形成される。
【００４７】
大基板１３におけるディスプレイ基板１５の外側には、配線密度変更部３１が形成され、その上に、電気接点群３３が形成された接続端子３０が形成されている。接続端子３０には、列電極２に接続された電気接点３２が所定の間隔で図１０におけるＸ方向、即ち大基板１３の幅方向に沿って１列に配置され、更に、行電極４に接続された電気接点３４が所定の間隔で電気接点３２の列に対して平行に配置されている。電気接点３２および電気接点３４は何れもピン状である。電気接点３２および電気接点３４によって電気接点群３３が構成されている。また、電気接点３２の列と電気接点３４の列との間隔は、隣接する２つの電気接点３２の間隔、および隣接する２つの電気接点３４の間隔の何れよりも大きく形成されている。
【００４８】
大基板１３の内部には、各列電極２を電気接点３２に接続する接続配線３５、および各行電極４を電気接点３４に接続する接続配線３６が形成されている。列電極２は、導電ピン３７を介して接続配線３５に接続され、行電極４は、導電ピン３８を介して接続配線３６に接続されている。したがって、列電極２は、導電ピン３７および接続配線３５を介して電気接点３２に接続され、行電極４は、導電ピン３８および接続配線３６を介して電気接点３４に接続される。
【００４９】
配線密度変更部３１においては、図１０〜図１３に示すように、夫々の列電極２ごとに接続配線３５を設けてもよいが、図１４に示すように絶縁層３１Ｂと導電層３１Ａとを積層して形成してもよい。ここで、図１４において（Ａ）に示すように、列電極２を左側から順に列電極２Ａ、列電極２Ｂ、列電極２Ｃ、列電極２Ｄ、列電極２Ｅ、列電極２Ｆとし、列電極２Ａ、列電極２Ｂ、列電極２Ｃ、列電極２Ｄ、列電極２Ｅ、列電極２Ｆに接続される導電ピン３７を夫々導電ピン３７Ａ、導電ピン３７Ｂ、導電ピン３７Ｃ、導電ピン３７Ｄ、導電ピン３７Ｅ、導電ピン３７Ｆとする。そして、電気接点３２を左側から順に電気接点３２Ａ、電気接点３２Ｂ、電気接点３２Ｃ、電気接点３２Ｄ、電気接点３２Ｅ、電気接点３２Ｆとする。そして、画像書込み装置（図示せず。）からの信号を入力するコネクタ２０６を接続端子３０に接続すると、コネクタ２０６の接触端子２０６Ａ、接触端子２０６Ｂ、接触端子２０６Ｃ、接触端子２０６Ｄ、接触端子２０６Ｅ、接触端子２０６Ｆは、図１４において（Ｃ）に示すように、夫々電気接点３２Ａ、電気接点３２Ｂ、電気接点３２Ｃ、電気接点３２Ｄ、電気接点３２Ｅ、電気接点３２Ｆに接触する。
【００５０】
図１４において（Ｂ）に示すように、絶縁層３１Ｂと導電層３１Ａとは、導電層３１Ａが３層、絶縁層３１Ｂが４層の計７層が大基板１３上に交互に積層されている。そして、導電ピン３７Ａおよび導電ピン３７Ｄが最も長く、絶縁層３１Ｂと導電層３１Ａとを下方から５層貫通し、最上層の導電層３１Ａに達し、導電ピン３７Ｂと導電ピン３７Ｅとがそれに次いで長く、絶縁層３１Ｂと導電層３１Ａとを下方から３層貫通し、上から２番目の導電層３１Ａに達し、導電ピン３７Ｃと導電ピン３７Ｆとが最も短く、最下層の絶縁層３１Ｂを貫通して最下層の導電層３１Ａに達している。一方、図１４において（Ｃ）に示すように、電気接点３２Ａと電気接点３２Ｄとが最も短く、その次が電気接点３２Ｂと電気接点３２Ｅであり、電気接点３２Ｃと電気接点３２Ｆとが最も短い。そして、電気接点３２Ａと電気接点３２Ｄとは上方から絶縁層３１Ｂを１層貫通して最も上の導電層３１Ａに達し、電気接点３２Ｂと電気接点３２Ｅとは上方から絶縁層３１Ｂと導電層３１Ａとを３層貫通して上から２番目の導電層３１Ａに達し、電気接点３２Ｃと電気接点３２Ｆとは上方から絶縁層３１Ｂと導電層３１Ａとを５層貫通して上から３番目の導電層３１Ａに達している。したがって、最も上の導電層３１Ａによって導電ピン３７Ａと電気接点３２Ａ、および導電ピン３７Ｄと電気接点３２Ｄとが電気的に接続され、上から２番目の導電層３１Ａによって導電ピン３７Ｂと電気接点３２Ｂ、および導電ピン３７Ｅと電気接点３２Ｅとが電気的に接続され、上から３番目の導電層３１Ａによって導電ピン３７Ｃと電気接点３２Ｃ、および導電ピン３７Ｆと電気接点３２Ｆとが電気的に接続されている。
【００５１】
これにより、列電極２Ａ〜列電極２Ｆは夫々電気接点３２Ａ〜電気接点３２Ｆと電気的に接続されている。
【００５２】
画像表示媒体１０６においては、前述のように電気接点３２の列と電気接点３４の列との間隔は、隣接する２つの電気接点３２の間隔、および隣接する２つの電気接点３４の間隔の何れよりも大きく形成されている。
【００５３】
５．実施形態５
【００５４】
実施形態５に係る画像表示媒体１０８は、図１５〜図１８に示すように、下層基板１４と上層基板１２とスペーサ１７とから構成されるディスプレイ基板１５と、上層基板１２の表示領域１０の外側における表側の面に配置された多層配線基板４２と、上層基板１２のディスプレイ基板１５の外側における裏側の面に配置された多層配線基板４４と、上層基板１２の表側の面における多層配線基板４２を挟んで表示領域１０の反対側に配置された接続端子４０とを備える。接続端子４０の両側には、後述するコネクタ３００のガイドピン３０２が挿入されるガイド孔４３が開いている。
【００５５】
接続端子４０は、列電極２に電気的に接続されたピン状の電気接点４１Ａが植設された列側接続端子４０Ａと、行電極４に電気的に接続されたピン状の電気接点４１Ｂが植設された行側接続端子４０Ｂとに分かれている。電気接点４１Ａおよび電気接点４１Ｂは、夫々千鳥状に配設されている。
【００５６】
列側接続端子４０Ａは多層配線基板４２上に配置され、行側接続端子４０Ｂは上層基板１２の表側の面に配置されている。列側接続端子４０Ａと行側接続端子４０Ｂとの間には段差が形成されている。
【００５７】
多層配線基板４２の内部には、電気接点４１Ａと列電極２とを接続する配線４５および導電ピン４７が埋設されている。一方、多層配線基板４４の内部には、電気接点４１Ｂと行電極４とを接続する配線４６および導電ピン４８が埋設されている。導電ピン４７と列電極２、および導電ピン４８とは、図１８に示すように、夫々厚さ方向にのみ導電性を有する異方導電材１６によって電気的に接続されている。
【００５８】
接続端子４０に接続されるコネクタ３００も、図１９に示すように、列側接続端子４０Ａに接続される側の列側装着部３００Ａと、行側接続端子４０Ｂに接続される側の行側接続部３００Ｂとに分かれる。図１９においては、列側接続端子４０Ａと行側接続端子４０Ｂとの間の段差、および列側装着部３００Ａと行側接続部３００Ｂとの間の段差が形成され、図１５〜図１８に示すように、行側接続端子４０Ｂは列側接続端子４０Ａよりも一段低く配置され、列側装着部３００Ａと行側接続部３００Ｂとの間にも接続端子４０の段差に対応する段差が形成されている。
【００５９】
コネクタ３００の列側装着部３００Ａには、接続端子４０の列側接続端子４０Ａに設けられた電気接点４１Ａに電気的に接触するスポット状の端子３０１Ａが設けられ、行側装着部３００Ｂには、接続端子４０の行側接続端子４０Ｂに設けられた電気接点４１Ｂに電気的に接触するスポット状の端子３０１Ｂが設けられている。以下、電気接点４１Ａと電気接点４１Ｂとを総称して電気接点４１と称し、端子３０１Ａと端子３０１Ｂとを総称して端子３０１と称することがある。電気接点４１と端子３０１とのピッチは同一である。
【００６０】
コネクタ３００と接続端子４０との間には、厚さ方向にのみ導電性を有する異方導電材のシートである異方導電シート５０が挿入される。異方導電シート５０は絶縁性ゴムのシートに厚さ方向に導電部５１を設けた構成を有する。導電部５１のピッチは、図２０に示すように電気接点４１および端子３０１のピッチの整数倍に設定されている。具体的にはたとえば２〜４倍とする。したがって、電気接点４１および端子３０１には、複数の導電部５１が接触し、しかも、何れの電気接点４１および端子３０１においても接触する導電部５１の数はほぼ一定である。したがって、コネクタ３００の装着位置が所定の位置から若干ずれ、端子３０１と電気接点４１とが、複数の端子３０１と一の電気接点４１とが重なり合うような位置関係をとっても、前記複数の端子３０１が前記一の電気接点４１によって短絡することが防止される。
【００６１】
なお、一部の電気接点４１および端子３０１に大電流が流れる可能性があるときは、図２１に示すように、電気接点４１および端子３０１のピッチはそのまま、大電流の流れる可能性のある電気接点４１および端子３０１の直径を大きくすればよい。
【００６２】
また、図２２の（Ａ）に示すように、コネクタ３００の接続端子４０に接続される側の面に、画像表示媒体１０８のガイド孔４３に挿入するガイドピン３０２を立設するとともに、図２２の（Ｂ）に示すように、接続端子４０の列側接続端子４０Ａと行側接続端子４０Ｂとの境界部に位置合せリブ４９を設け、列側装着部３００Ａと行側接続部３００Ｂとの間に位置合せリブ４９に係合する位置合せ溝３０４を設けてもよい。ガイドピン３０２をガイド孔４３に容易に挿入できるようにするには、ガイドピン３０２とガイド孔４３との間に１００μｍ程度の隙間を設ける必要があるので、位置合せリブ４９と位置合せ溝３０４とにより、コネクタ３００と接続端子４０との図２２における縦方向の位置を合わせる。なお、図２２の横方向の位置がずれても画素位置がずれるだけであるからそれ程大きな問題にはならない。図２２に示すコネクタを同図に示す接続端子４０に装着するときは、図２３の（Ａ）に示すように、コネクタ３００のガイドピン３０２を画像表示媒体１０８のガイド孔４３に挿入する。そして、同図の（Ｂ）に示すように位置合せ溝３０４を位置合せリブ４９に係合させる。これにより、コネクタ３００と接続端子４０とが確実に位置決めされる。
【００６３】
更に、図２４の（Ａ）に示すように、コネクタ３００の接続端子４０に接続される側の面にブッシュ３０６を立設するとともに、図２４の（Ｂ）に示すように、接続端子４０において列側接続端子４０Ａと行側接続端子４０Ｂとを挟むように切り込み４９Ａを設け、図２５の（Ａ）に示すように切り込み４９Ａでブッシュ３０６をガイドするとともに、同図の（Ｂ）に示すようにコネクタ３００と接続端子４０との段差を互いに係合させて挿入方向の位置決めをしてもよい。
【００６４】
画像表示媒体１０８においては、接続端子４０の列側接続端子４０Ａと行側接続端子４０Ｂとの間に段差が形成され、画像表示媒体１０８に接続されるコネクタ３００の列側装着部３００Ａと行側接続部３００Ｂとの間にも段差が形成され、前記段差において接続端子４０の段差と係合する。したがって、列側接続端子４０Ａの端子４１Ａに行側接続部３００Ｂの端子３０１Ｂが接触したり、行側接続端子４０Ｂの端子４１Ｂに列側接続部３００Ａの端子３０１Ａが接触したりすることが効果的に防止される。
【００６５】
なお、第１電気接点群は、上述の実施形態に示したように画像表示媒体の表示領域と重ならない位置に設けるほかに、表示領域の画像を閲覧する側と反対側の面で表示領域と重なる位置に設けてもよい。この場合には表示領域と電気接続コネクタが接続されるフレーム部とが重なる形態となる。
【図面の簡単な説明】
【００６６】
【図１】図１は、実施形態１に係る画像表示媒体を表側および裏側からみた構成を示す斜視図である。
【図２】図２は、実施形態１に係る画像表示媒体を列電極に沿って切断した断面を示す断面図である。
【図３】図３は、実施形態１に係る画像表示媒体において画像を表示する原理の一例を示す説明図である。
【図４】図４は、実施形態１に係る画像表示媒体において画像を表示する原理の別の例を示す説明図である。
【図５】図５は、画像書込み装置からの信号を入力するクリップ部と実施形態１に係る画像表示媒体との相対的な位置関係を示す斜視図である。
【図６】図６は、実施形態２に係る画像表示媒体を表側および裏側からみた構成を示す斜視図である。
【図７】図７は、画像書込み装置からの信号を入力するクリップ部と実施形態２に係る画像表示媒体との相対的な位置関係を示す斜視図である。
【図８】図８は、実施形態３に係る画像表示媒体を表側および裏側からみた構成を示す斜視図である。
【図９】図９は、画像書込み装置からの信号を入力するクリップ部と実施形態３に係る画像表示媒体との相対的な位置関係を示す斜視図である。
【図１０】図１０は、実施形態４に係る画像表示媒体を表側からみた構成を示す斜視図である。
【図１１】図１１は、実施形態４に係る画像表示媒体を裏側からみた構成を示す斜視図である。
【図１２】図１２は、実施形態４に係る画像表示媒体の行方向の断面を示す断面図である。
【図１３】図１３は、実施形態４に係る画像表示媒体の列方向の断面を示す断面図である。
【図１４】図１４は、実施形態４に係る画像表示媒体の備える配線密度変更部の別の例を示す平面図および断面図である。
【図１５】図１５は、実施形態５に係る画像表示媒体を表側から見た構成を示す斜視図である。
【図１６】図１６は、実施形態５に係る画像表示媒体を裏側から見た構成を示す斜視図である。
【図１７】図１７は、実施形態５に係る画像表示媒体における表側の多層配線基板近傍の構成を示す拡大図である。
【図１８】図１８は、実施形態５に係る画像表示媒体の接続端子およびその近傍における
【図１９】図１９は、実施形態５に係る画像表示媒体における接続端子と前記接続端子に接続されるコネクタと間に挿入される異方導電シートとの相対的な位置関係を示す斜視図である。
【図２０】図２０は、前記接続端子の接点およびコネクタの電極と、前記異方導電シートの導電部とのピッチの関係を示す説明図である。
【図２１】図２１は、前記接続端子の接点およびコネクタの電極の一部において大電流を流す可能性がある場合の前記接点および電極の直径の分布を示す斜視図である。
【図２２】図２２は、実施形態５に係る画像表示媒体における接続端子と前記接続端子に接続されるコネクタとの別の例を示す平面図である。
【図２３】図２３は、図２２に示すコネクタを接続端子に接続するところを示す説明図である。
【図２４】図２４は、実施形態５に係る画像表示媒体における接続端子と前記接続端子に接続されるコネクタとの更に別の例を示す平面図である。
【図２５】図２５は、図２４に示すコネクタを接続端子に接続するところを示す説明図である。
【符号の説明】
【００６７】
２      列電極
２Ａ    列電極
２Ｂ    列電極
２Ｃ    列電極
２Ｄ    列電極
２Ｅ    列電極
２Ｆ    列電極
３      電界効果トランジスタ
４      行電極
８      第１接続端子
８Ａ    電気接点
９      第２接続端子
９Ａ    電気接点
１０      表示領域
１２      上層基板
１３      大基板
１４      下層基板
１５      ディスプレイ基板
１６      異方導電材
１７      スペーサ
１８      液晶層
２０      コンタクトホール
２１      接続配線
２２      接続配線
２４      配線密度変更部
２５      接続配線
２６      配線密度変更部
２８      コンタクトホール
３０      接続端子
３１      配線密度変更部
３１Ａ    導電層
３１Ｂ    絶縁層
３２      電気接点
３２Ａ    電気接点
３２Ｂ    電気接点
３２Ｃ    電気接点
３２Ｄ    電気接点
３２Ｅ    電気接点
３２Ｆ    電気接点
３３      電気接点群
３４      電気接点
３５      接続配線
３６      接続配線
３７      導電ピン
３７Ａ    導電ピン
３７Ｂ    導電ピン
３７Ｃ    導電ピン
３７Ｄ    導電ピン
３７Ｅ    導電ピン
３７Ｆ    導電ピン
３８      導電ピン
４０      接続端子
４０Ａ    列側接続端子
４０Ｂ    行側接続端子
４１Ａ    電気接点
４１Ｂ    電気接点
４２      多層配線基板
４３      ガイド孔
４４      多層配線基板
４５      配線
４６      配線
４７      導電ピン
４８      導電ピン
４９      リブ
５０      異方導電シート
５１      導電部
１００      画像表示媒体
１０２      画像表示媒体
１０４      画像表示媒体
１０４      面表示媒体
１０６      画像表示媒体
１０８      画像表示媒体
１５０      異方導電シート
２００      クリップ部
２０２      クリップ部
２０４      クリップ部
２０６      コネクタ
２０６Ａ    接触端子
２０６Ｂ    接触端子
２０６Ｃ    接触端子
２０６Ｄ    接触端子
２０６Ｅ    接触端子
２０６Ｆ    接触端子
３００      コネクタ
３００Ａ    列側接続部
３００Ｂ    行側接続部
３０１      端子
３０１Ａ    端子
３０１Ｂ    端子
３０２      ガイドピン
３０４      溝
３０６      ブッシュ
【図１】
2008039869.tif 000003
【図２】
2008039869.tif 000004
【図３】
2008039869.tif 000005
【図４】
2008039869.tif 000006
【図５】
2008039869.tif 000007
【図６】
2008039869.tif 000008
【図７】
2008039869.tif 000009
【図８】
2008039869.tif 000010
【図９】
2008039869.tif 000011
【図１０】
2008039869.tif 000012
【図１１】
2008039869.tif 000013
【図１２】
2008039869.tif 000014
【図１３】
2008039869.tif 000015
【図１４】
2008039869.tif 000016
【図１５】
2008039869.tif 000017
【図１６】
2008039869.tif 000018
【図１７】
2008039869.tif 000019
【図１８】
2008039869.tif 000020
【図１９】
2008039869.tif 000021
【図２０】
2008039869.tif 000022
【図２１】
2008039869.tif 000023
【図２２】
2008039869.tif 000024
【図２３】
2008039869.tif 000025
【図２４】
2008039869.tif 000026
【図２５】
2008039869.tif 000027